(57)【特許請求の範囲】
【請求項１】
昇降するかご又はつりあいおもりと、
前記かご又はつりあいおもりの昇降を案内するガイドレールと、
前記ガイドレールの上方において、鉛直方向に複数の箇所で固定され、片もち梁状に支持されたシーブ支持腕と、
前記シーブ支持腕によって前記かご又はつりあいおもりの昇降路上部に支持されたシーブと、
を備えたことを特徴とするエレベータ装置。
【請求項２】
前記シーブ支持腕は、水平方向に延びている
ことを特徴とする請求項１に記載のエレベータ装置。
【発明の詳細な説明】
【０００１】
【発明の属する技術分野】
本発明は、調速機を有するエレベータ装置に係り、とりわけ、建物の構造や状態に依存しないで調速機を設置可能なエレベータ装置に関する。
【０００２】
【従来の技術】
図３は、調速機を有する従来のエレベータ装置の一例を示しており、図３（ａ）はその正面図、図３（ｂ）はその側面図である。図３（ａ）及び図３（ｂ）に示すように、建物の構造とエレベータのレイアウトとの関係等から、エレベータの調速機３１本体をピット面に設置し、転向シーブ３２をかごの昇降路上部に取り付ける場合がある。このような場合、ピット下の調速機３１本体は、取付べース３３を介して昇降路壁３４にアンカーボルト等で固定されている。
【０００３】
【発明が解決しようとする課題】
しかしながら、通常ピット底面および側面には、ピットでの漏水を防ぐために防水処理が行われている。従って、調速機３１を固定するためにピット内でアンカーボルトを使用する（打ち込む）ことは、漏水の恐れを招くので避けることが好ましい。結果として、アンカーボルトを打ち込む位置（固定位置）は、最下階床面近傍となり、調速機３１を昇降路下部に設置するには大きな固定台が必要となっている。
【０００４】
また、かごが最下階に到達する時、調速機３１がかごの下梁よりも高い位置にある場合には、セフティリンクを上梁に配置しないと干渉する等の問題があるため、かごの設計の自由度が低い。
【０００５】
本発明は、このような点を考慮してなされたものであり、建物の構造や状況に依存することなく、ピット内の所望の位置に調速機を固定できるエレベータ装置を提供することを目的とする。
【０００６】
また本発明は、建物の構造や状況に依存することなく、昇降路上方の所望の位置にシーブを固定できるエレベータ装置を提供することを目的とする。
【０００７】
【課題を解決するための手段】
本発明は、昇降するかご又はつりあいおもりと、前記かご又はつりあいおもりの昇降を案内するガイドレールと、前記ガイドレールの上方において、鉛直方向に複数の箇所で固定され、片もち梁状に支持されたシーブ支持腕と、前記シーブ支持腕によって前記かご又はつりあいおもりの昇降路上部に支持されたシーブと、を備えたことを特徴とするエレベータ装置である。
【００１０】
本発明によれば、シーブが片もち梁状に支持されたシーブ支持腕を介してガイドレールによって支持されるため、シーブを所望の位置に固定することができる。
【００１１】
【発明の実施の形態】
以下、図面を参照して本発明の実施の形態について説明する。
【００１２】
図１は、本発明の第１の実施の形態によるエレベータ装置を示す構成概略図である。図１に示すように、本発明の第１の実施の形態のエレベータ装置１０は、昇降するかご（図示せず）と、かごの昇降を案内するガイドレール１３とを備えている。
【００１３】
ガイドレール１３の下方には、水平方向に延びる３本の支持腕１７ａが固定されている。支持腕１７は、ピット内に調速機１６を支持している。
【００１４】
また、ガイドレール１３の下方には、斜め方向に延びる第２支持腕１７ｂも固定されており、調速機１６は、第２支持腕１７ｂによっても支持されている。
【００１５】
さらにガイドレール１３の上方に、略水平方向に延びるベース１２（シーブ支持腕）が、鉛直方向に複数の箇所でクリップ１４及びボルト１５を介して固定されている。べース１２は、かごの昇降路上部に転向シーブ１１を支持している。
【００１６】
転向シーブ１１と調速機１６には、調速ロープ１８が移動可能に掛けられている。
【００１７】
次に、このような構成よりなる本実施の形態の作用について説明する。
【００１８】
かご（図示せず）が所定の速度を超える速度で落下すると、調速機１６は図示しない噛み機構によって調速機ロープ１８を噛んで、調速機ロープ１８の回転を止めようとする。この時、反作用によって、転向シーブ１１には下向きの力が働き、調速機１６には上向きの力が作用する。
【００１９】
昇降路上部では、転向シーブ１１に下向きの力が作用することによってべース１２に曲げモーメントが発生する。この曲げモーメントは、当該ベース１２と、クリップ１４及びボルト１５によって複数段に亘って固定されたガイドレール１３とによって吸収される。
【００２０】
ピット下では、調速機１６に上向きの力が作用することによって、支持腕１７ａに曲げモーメントが発生し、第２支持腕１７ｂに圧縮力が発生する。この曲げモーメントと圧縮力は、当該支持腕１７ａ及び第２支持腕１７ｂと、ガイドレール１３とによって吸収される。
【００２１】
本実施の形態によれば、調速機１６と転向シーブ１１とをガイドレール１３に固定しているので、建物の構造や状況に影響されることがなく、これらの取付、設置を高い自由度で行うことが可能である。
【００２２】
また本実施の形態によれば、支持腕１７ａが水平方向に延びているため、支持腕１７ａの取付が容易である。また、本実施の形態の調速機１６は、斜め方向に延びる第２支持腕１７ｂによっても支持され、水平な支持腕１７ａのみで支持される場合に比べて効果的に曲げモーメントが吸収されるため、支持腕１７ａを構成する材料の断面積を小さく抑えることができる。
【００２３】
また、ベース１２は、鉛直方向に複数の箇所でガイドレール１３に固定されているため、脱落の恐れが極めて小さい。
【００２４】
なお、本実施の形態のガイドレール１３は、かごの昇降を案内するものであるが、つり合いおもり（図示せず）の昇降を案内するガイドレールであっても、同様の構成を実現することができる。
【００２５】
次に、本発明の第２の実施の形態のエレベータ装置について図２を用いて説明する。図２は、本発明の第２の実施の形態のエレベータ装置１０の構成概略図である。
【００２６】
図２に示すように、本実施の形態のエレベータ装置は、調速機１６を支持する第２支持腕が設けられておらず、隣り合う支持腕１７ａの間に斜め方向に渡されたトラス腕２７を有している他は、図１に示す第１の実施の形態と同様の構成である。第２の実施の形態において、図１に示す第１の実施の形態と同一の部分には同一の符号を付して詳細な説明は省略する。
【００２７】
本実施の形態は、支持腕１７ａとトラス腕２７とがトラス構造を構成するため、調速機１６に作用する上向きの力に対してより頑強である。
【００２８】
【発明の効果】
以上説明したように、本発明によれば、シーブが片もち梁状に支持されたシーブ支持腕を介してガイドレールによって支持されるため、シーブを所望の位置に固定することができる。
【図面の簡単な説明】
【図１】本発明による調速機を有するエレベータ装置の第１の実施の形態を示す構成概略図。
【図２】本発明による調速機を有するエレベータ装置の第２の実施の形態を示す構成概略図。
【図３】従来の調速機を有するエレベータ装置を示す構成概略図。
【符号の説明】
１０  エレベータ装置
１１  転向シーブ
１２  ベース
１３  ガイドレール
１４  クリップ
１５  ボルト
１６  調速機
１７ａ  支持腕
１７ｂ  第２支持腕
１８  調速機ロープ
２７  トラス腕
【図１】
0004298053.tif 000002
【図２】
0004298053.tif 000003
【図３】
0004298053.tif 000004